(57)【要約】【課題】複数のユーザが動画データや書籍データなどのシーケンシャルなコンテンツデータを共有して利用可能な環境下で、各ユーザ毎に所望するコンテンツデータを適切な続き再生位置から再生できるようにする。【解決手段】複数のシーケンシャルなコンテンツデータを記憶するＨＤＤ19と、複数の端末の識別情報と対応付けてその再生位置情報を記憶する属性情報記憶部15と、複数の端末に対してＨＤＤ19に記憶したコンテンツデータを再生して配信する無線通信部16及びアンテナ20と、複数のコンテンツデータの識別情報個々に、ＨＤＤ19に記憶したコンテンツデータを端末に配信する毎に、属性情報記憶部15の記憶内容を更新設定する制御部11とを備える。【選択図】      図２
2006185468.tif 000002
【特許請求の範囲】
【請求項１】
複数のシーケンシャルなコンテンツデータを記憶するコンテンツ記憶手段と、
このコンテンツ記憶手段に記憶したコンテンツデータを再生する再生手段と、
上記複数のコンテンツデータの識別情報個々に、複数のユーザの識別情報と対応付けてその再生終了位置情報を記憶する管理記憶手段と、
上記ユーザの指示により上記コンテンツ記憶手段に記憶したコンテンツデータを上記再生手段により再生する毎に、上記管理記憶手段の記憶する当該コンテンツデータの識別情報及び当該ユーザの識別情報と対応付けられた再生終了位置情報を更新設定する更新手段と
を具備したことを特徴とするデータ管理装置。
【請求項２】
上記更新手段は、上記再生手段によるシーケンシャルなコンテンツデータの最終位置までの再生に対して上記管理記憶手段に記憶される当該ユーザの識別情報に対応付けられた再生終了位置情報を視聴完了状態に設定することを特徴とする請求項１記載のデータ管理装置。
【請求項３】
上記更新手段は、上記管理記憶手段に記憶される１つのコンテンツデータに対する複数のユーザの識別情報に対応付けられた再生終了位置情報がすべて視聴完了状態となった際に、そのコンテンツデータを上記コンテンツ記憶手段から削除することを特徴とする請求項２記載のデータ管理装置。
【請求項４】
上記コンテンツ記憶手段から削除されたコンテンツデータを一時的に記憶する削除待機記憶手段をさらに具備し、
上記更新手段は、所定の入力指示に応じて上記削除待機手段に記憶したコンテンツデータを上記コンテンツ記憶手段に転送して再度記憶させる
ことを特徴とする請求項３記載のデータ管理装置。
【請求項５】
上記管理記憶手段は、上記複数のユーザの識別情報毎に最後に再生したコンテンツデータの識別情報を記憶することを特徴とする請求項１記載のデータ管理装置。
【請求項６】
上記コンテンツ記憶手段に記憶したコンテンツデータを他の装置との間で通信する通信手段をさらに具備し、
上記更新手段は、上記通信手段での他の装置とのコンテンツデータの通信に際し、当該コンテンツデータの識別情報及び当該ユーザの識別情報に対する再生終了位置情報を共有するべく更新設定する
ことを特徴とする請求項１記載のデータ管理装置。
【請求項７】
複数のシーケンシャルなコンテンツデータを記憶し、記憶したコンテンツデータ中の任意のものを再生するデータ再生装置のデータ管理方法であって、
上記複数のコンテンツデータの識別情報個々に、複数のユーザの識別情報と対応付けてその再生終了位置情報を記憶する管理記憶工程と、
上記ユーザの指示によりコンテンツデータを再生する毎に、上記管理記憶工程で記憶した当該コンテンツデータの識別情報及び当該ユーザの識別情報と対応付けられた再生終了位置情報を更新設定する更新工程と
を有したことを特徴とするデータ管理方法。
【請求項８】
複数のシーケンシャルなコンテンツデータを記憶し、記憶したコンテンツデータ中の任意のものを再生するデータ再生装置に内蔵されたコンピュータが実行するプログラムであって、
上記複数のコンテンツデータの識別情報個々に、複数のユーザの識別情報と対応付けてその再生終了位置情報を記憶する管理記憶ステップと、
上記ユーザの指示によりコンテンツデータを再生する毎に、上記管理記憶ステップで記憶した当該コンテンツデータの識別情報及び当該ユーザの識別情報と対応付けられた再生終了位置情報を更新設定する更新ステップと
をコンピュータに実行させることを特徴とするプログラム。
【発明の詳細な説明】
【技術分野】
【０００１】
本発明は、例えば動画データや書籍データ等のシーケンシャルデータを複数の端末装置で再生するデータ管理装置、データ管理方法及びプログラムに関する。
【背景技術】
【０００２】
従来、映画等のＤＶＤビデオディスク媒体の再生中断時に、少なくとも再生中断時刻を含む情報を再生情報記憶部に格納しておき、再生中断個所からの続き再生（レビュープレイ）時に上記再生中断時刻までをチャプター毎に一定時間ずつダイジェスト再生するようにした技術が考えられている。（例えば、特許文献１）
【特許文献１】特開平１１−２７３２２７号公報
【発明の開示】
【発明が解決しようとする課題】
【０００３】
しかしながら、上記特許文献の技術では、複数の人数で装置を共有することは考えられておらず、そのような場合には他人の使用によって再生情報記憶部の内容が書き換えられてしまうため、再生中断個所から引き続き再生することができないという不具合がある。
【０００４】
本発明の課題は、複数のユーザが動画データや書籍データなどのシーケンシャルなコンテンツデータを共有して利用可能な環境下で、各ユーザ毎に所望するコンテンツデータを適切な続き再生位置から再生できるようにすることにある。
【課題を解決するための手段】
【０００５】
請求項１記載の発明は、複数のシーケンシャルなコンテンツデータを記憶するコンテンツ記憶手段と、このコンテンツ記憶手段に記憶したコンテンツデータを再生する再生手段と、上記複数のコンテンツデータの識別情報個々に、複数のユーザの識別情報と対応付けてその再生終了位置情報を記憶する管理記憶手段と、上記ユーザの指示により上記コンテンツ記憶手段に記憶したコンテンツデータを上記再生手段により再生する毎に、上記管理記憶手段の記憶する当該コンテンツデータの識別情報及び当該ユーザの識別情報と対応付けられた再生終了位置情報を更新設定する更新手段とを具備したことを特徴とする。
【０００６】
請求項２記載の発明は、上記請求項１記載の発明において、上記更新手段は、上記再生手段によるシーケンシャルなコンテンツデータの最終位置までの再生に対して上記管理記憶手段に記憶される当該ユーザの識別情報に対応付けられた再生終了位置情報を視聴完了状態に設定することを特徴とする。
【０００７】
請求項３記載の発明は、上記請求項２記載の発明において、上記更新手段は、上記管理記憶手段に記憶される１つのコンテンツデータに対する複数のユーザの識別情報に対応付けられた再生終了位置情報がすべて視聴完了状態となった際に、そのコンテンツデータを上記コンテンツ記憶手段から削除することを特徴とする。
【０００８】
請求項４記載の発明は、上記請求項３記載の発明において、上記コンテンツ記憶手段から削除されたコンテンツデータを一時的に記憶する削除待機記憶手段をさらに具備し、上記更新手段は、所定の入力指示に応じて上記削除待機手段に記憶したコンテンツデータを上記コンテンツ記憶手段に転送して再度記憶させることを特徴とする。
【０００９】
請求項５記載の発明は、上記請求項１記載の発明において、上記管理記憶手段は、上記複数のユーザの識別情報毎に最後に再生したコンテンツデータの識別情報を記憶することを特徴とする。
【００１０】
請求項６記載の発明は、上記請求項１記載の発明において、上記コンテンツ記憶手段に記憶したコンテンツデータを他の装置との間で通信する通信手段をさらに具備し、上記更新手段は、上記通信手段での他の装置とのコンテンツデータの通信に際し、当該コンテンツデータの識別情報及び当該ユーザの識別情報に対する再生終了位置情報を共有するべく更新設定することを特徴とする。
【００１１】
請求項７記載の発明は、複数のシーケンシャルなコンテンツデータを記憶し、記憶したコンテンツデータ中の任意のものを再生するデータ再生装置のデータ管理方法であって、上記複数のコンテンツデータの識別情報個々に、複数のユーザの識別情報と対応付けてその再生終了位置情報を記憶する管理記憶工程と、上記ユーザの指示によりコンテンツデータを再生する毎に、上記管理記憶工程で記憶した当該コンテンツデータの識別情報及び当該ユーザの識別情報と対応付けられた再生終了位置情報を更新設定する更新工程とを有したことを特徴とする。
【００１２】
請求項８記載の発明は、複数のシーケンシャルなコンテンツデータを記憶し、記憶したコンテンツデータ中の任意のものを再生するデータ再生装置に内蔵されたコンピュータが実行するプログラムであって、上記複数のコンテンツデータの識別情報個々に、複数のユーザの識別情報と対応付けてその再生終了位置情報を記憶する管理記憶ステップと、上記ユーザの指示によりコンテンツデータを再生する毎に、上記管理記憶ステップで記憶した当該コンテンツデータの識別情報及び当該ユーザの識別情報と対応付けられた再生終了位置情報を更新設定する更新ステップとをコンピュータに実行させることを特徴とする。
【発明の効果】
【００１３】
請求項１記載の発明によれば、複数のユーザが動画データや書籍データなどのシーケンシャルなコンテンツデータを共有して利用可能な環境下で、各ユーザ毎に所望するコンテンツデータを適切な続き再生位置から再生することが可能となる。
【００１４】
請求項２記載の発明によれば、上記請求項１記載の発明の効果に加えて、コンテンツデータの最終位置までの再生を終えた端末に対しては再生位置情報に代えて視聴完了の情報を記憶するものとしたので、再生状態を的確に把握して、他のコンテンツデータの視聴に移行するなどその管理が容易となる。
【００１５】
請求項３記載の発明によれば、上記請求項２記載の発明の効果に加えて、すべてのユーザの再生を終えたコンテンツデータを一旦削除することで、コンテンツデータの記憶容量が制限されている場合でも有効に活用してより多くのコンテンツデータを記憶し、再生することができる。
【００１６】
請求項４記載の発明によれば、上記請求項３記載の発明の効果に加えて、一度削除したコンテンツデータを必要に応じて再度復帰させることができる。
【００１７】
請求項５記載の発明によれば、上記請求項１記載の発明の効果に加えて、ユーザ毎に最後に再生したコンテンツデータの識別情報を記憶することで、コンテンツデータの選択操作なしに前回再生したコンテンツデータをその続き位置から再生することができる。
【００１８】
請求項６記載の発明によれば、上記請求項１記載の発明の効果に加えて、装置を単独で使用する場合のみならず、複数の装置間でコンテンツデータを通信して他の装置でも続き位置からコンテンツデータを再生させることができる。
【００１９】
請求項７記載の発明によれば、複数のユーザが動画データや書籍データなどのシーケンシャルなコンテンツデータを共有して利用可能な環境下で、各ユーザ毎に所望するコンテンツデータを適切な続き再生位置から再生することが可能となる。
【００２０】
請求項８記載の発明によれば、複数のユーザが動画データや書籍データなどのシーケンシャルなコンテンツデータを共有して利用可能な環境下で、各ユーザ毎に所望するコンテンツデータを適切な続き再生位置から再生することが可能となる。
【発明を実施するための最良の形態】
【００２１】
以下本発明を、家庭内に設置したデスクトップタイプのパーソナルコンピュータを画像サーバ装置とし、家族を構成する個々のユーザが携帯所持する携帯端末で動画データの配信を受ける家庭内画像共有システムに適用した場合の実施の一形態について図面を参照して説明する。
【００２２】
図１は、システム全体の外観構成を示すものである。同図で、１が画像サーバ装置となるパーソナルコンピュータ（ＰＣ）であり、このパーソナルコンピュータ１に対して、例えばＢｌｕｅｔｏｏｔｈ（登録商標）（以下「ブルートゥース」と称する）規格に則った近距離無線ＬＡＮ技術により、それぞれ複数のユーザ（Ａ〜Ｄ）が所持する携帯端末２Ａ〜２Ｄが相互に無線接続されて家庭内画像共有システムが構築される。
【００２３】
ここで携帯端末としては、例えば２Ａがデジタルスチルカメラ、２Ｂがデジタルムービーカメラ、２ＣがＰＤＡ（Ｐｅｒｓｏｎａｌ  Ｄｉｇｉｔａｌ  Ａｓｓｉｓｔａｎｔｓ：個人向け情報携帯端末）、２Ｄが携帯電話機を想定するものとする。
【００２４】
図２は、上記パーソナルコンピュータ１の画像サーバ装置としての機能回路構成を示すものである。同図中、１１がＣＰＵとその動作プログラムを記憶したメモリ、及びそのワークエリア等で構成される制御部であり、この制御部１１がパーソナルコンピュータ１全体の動作を統括制御するもので、キーボード及びマウス等のポインティングデバイスを含むキー入力部１２からの入力が直接入力されると共に、ＬＡＮインタフェース（Ｉ／Ｆ）１３、ＤＶＤマルチドライブ１４、属性情報記憶部１５、無線通信部１６、表示制御部１７、画像変換部１８、及びハードディスク装置（ＨＤＤ）１９をバス接続する。
【００２５】
ＬＡＮインタフェース１３は、図示しないブロードバンドモデム装置を介してインターネットと接続し、各種のコンテンツデータを所得可能とする。
【００２６】
ＤＶＤマルチドライブ１４は、各種ＤＶＤ（Ｄｉｇｉｔａｌ  Ｖｅｒｓａｔｉｌｅ  Ｄｉｓｋ）や各種ＣＤ（Ｃｏｍｐａｃｔ  Ｄｉｓｋ）を装着することで動画、静止画、音声等のコンテンツデータを取得する。
【００２７】
属性情報記憶部１５は、後述する属性情報フォルダ及び全属性情報フォルダを記憶するもので、その内容は動画データを再生して携帯端末２Ａ〜２Ｄに配信する毎に制御部１１により更新記憶される。
【００２８】
無線通信部１６は、アンテナ２０を介してこのパーソナルコンピュータ１と携帯端末２Ａ〜２Ｄとをブルートゥース規格によりパーソナルコンピュータ１をマスタ機、各携帯端末２Ａ〜２Ｄをスレイブ機として無線接続し、携帯端末２Ａ〜２Ｄから受信する配信要求に対応して、動画データを送信する。
【００２９】
表示制御部１７は、このパーソナルコンピュータ１の表示部２１に対して表示データを送出して表示駆動させる。表示部２１は、例えばバックライト付きのカラー液晶表示パネルで構成され、後述する動画データや属性情報の確認画面その他を表示する。
【００３０】
画像変換部１８は、データファイル形式の異なる動画データ、例えばＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）１／２／４やＤＶ形式の間で必要なデータ変換を行なうと共に、同一のデータファイル形式であっても必要とされる画像サイズに応じて適宜画素間引き処理により構成画素数を減じた画像データを生成する。
【００３１】
ハードディスク装置１９は、このパーソナルコンピュータ１のＯＳ（オペレーティングシステム）や各種アプリケーションプログラム、データの他に、配信すべきコンテンツデータである動画データを複数蓄積記録する。
【００３２】
次に上記携帯端末２Ａ〜２Ｄの一例として、上記ＰＤＡ２Ｃの機能構成を図３により説明する。  
同図で示すようにＰＤＡ２Ｃは、制御部３１に対して、キー入力部３２が直接接続されると共に、画像記憶部３３、無線通信部３４、表示制御部３５、タブレット制御部３６、及び音声処理部３７がバス接続される。
【００３３】
制御部３１は、ＣＰＵとその動作プログラムを記憶したメモリ、及びそのワークエリア等で構成され、このＰＤＡ２Ｃ全体の動作を統括制御する。
【００３４】
画像記憶部３３は、例えばこのＰＤＡ２Ｃに着脱自在に装着される記憶媒体としてのメモリカードでなり、パーソナルコンピュータ１から送られてきた動画データその他を記憶する。
【００３５】
無線通信部３４は、アンテナ３８を介して上記パーソナルコンピュータ１と上述したブルートゥース規格に従った画像データの送受信を実行する。
【００３６】
表示制御部３５は、このＰＤＡ２Ｃの表示部３９に対して画像データを送出して表示駆動させる。表示部３９は、例えばバックライト付きのカラー液晶表示パネルで構成されるもので、この表示部３９に対して透明電極板でなるタブレット入力部４０が一体に構成される。
【００３７】
このタブレット入力部４０をタブレット制御部３６が走査制御し、ここでは図示しないスタライスペンの当接動作あるいはユーザの手指によるタッチ動作に応じた二次元座標データを随時抽出するものであり、抽出した時系列の座標値データは制御部３１へ送出される。
【００３８】
音声処理部３７は、例えばＰＣＭ音源回路を内蔵し、パーソナルコンピュータ１から提供される動画データに重畳されている音声データからアナログの音声信号を再生してスピーカ４１を拡声駆動し、音声を放音させる。
【００３９】
なお、上記携帯端末２を構成するＰＤＡ２Ｃ以外のデジタルスチルカメラ２Ａ、デジタルムービーカメラ２Ｂ、携帯電話機２Ｄは、当然ながらそれぞれＰＤＡ２Ｃとは異なる回路構成を有するものであるが、パーソナルコンピュータ１に対する動画データの送信要求とその要求に対して送信されてくる動画データの受信、再生に関しては基本的にＰＤＡ２Ｃと同様の動作を行なうものとして、ここではその回路構成の図示及び説明等は省略するものとし、以下ではＰＤＡ２Ｃをその代表として動作等を述べることとする。
【００４０】
次に上記パーソナルコンピュータ１と携帯端末２Ａ〜２Ｄで取扱われる各種データ構造について説明する。
【００４１】
図４は、携帯端末２Ａ〜２Ｄからパーソナルコンピュータ１への上り方向の通信で使用される、コマンドフォーマットを例示する。図示する如く先頭のヘッダ情報に続いて、この携帯端末２Ａ〜２Ｄを使用するユーザ固有のユーザＩＤ情報が付加され、その後に、例えば動画データの再生や停止、動画データのタイトル変更等を指示する操作コマンドが付加される。
【００４２】
なお、上記ＰＤＡ２Ｃや携帯電話機２Ｄであれば、本来共有で使用するものではないので、そのユーザ（Ｃ,Ｄ）に対応したユーザＩＤ情報を付加して送信するものとしてもよいが、デジタルスチルカメラ２Ａやデジタルムービーカメラ２Ｂは、家庭内で複数のユーザが共有して使用することが考えられるので、コマンドの送信に先立ってその装置本体、あるいは付属しているリモートコントローラにより予めユーザを選択しておくことで、選択したユーザのユーザＩＤ情報がコマンドに自動付加されるものとする。
【００４３】
また、例えば携帯電話機２Ｄ等、ユーザが特定できる装置であっても、電源投入時に指紋認証機能等により一度ユーザ本人の判別を行なった場合でないと上記コマンドの送信等の処理を行なうことができないものとしてもよい。
【００４４】
図５（Ａ）は、上記属性情報記憶部１５に展開記憶される属性情報ＡＤと、ハードディスク装置１９に記憶される動画の画像ファイルＭＰとを１組分並記して示すもので、実際には複数の動画データ数に応じた組分だけ記憶される。
【００４５】
属性情報ＡＤは、ユーザを識別するための「ユーザＩＤ」、そのユーザが最後に画像データの再生を終了した位置を示す「再生終了位置」、そのユーザが最後に画像データの視聴を終えた日時を示す「最終視聴日時」、及びその画像データが「未使用」「視聴中」「視聴完了」のいずれであるかを示す「状態」とが１組として、ユーザ数に応じた組数分で構成される。
【００４６】
これに対する画像ファイルＭＰは、その動画タイトルを識別するためのタイトルＩＤと、動画の実データとから構成される。
【００４７】
画像ファイルＭＰに対応して記憶される属性情報ＡＤの内容により、その画像ファイルがユーザ（携帯端末）毎にどの位置まで再生されたかを知ることができる。
【００４８】
また、図５（Ｂ）は、上記属性情報記憶部１５に展開記憶される全体属性情報ＡＡの構成を示すものである。図示する如くこの全体属性情報ＡＡは、各ユーザＩＤ毎に「最終再生タイトルＩＤ」を記憶するものであり、この全体属性情報ＡＡを利用することで、ユーザからタイトルＩＤの指定を受けずとも前回視聴していた画像データのタイトルＩＤを認識することができる。
【００４９】
なお、上記属性情報記憶部１５は、専用の記憶回路をハードウェアとして設けてもよいが、ここではパーソナルコンピュータ１が画像データの再生、配信時に制御部１１内のメインメモリ上に展開するものを別記して機能回路構成として挙げたものとする。その場合、画像データの再生時以外では、その内容は画像ファイルＭＰと同様にハードディスク装置１９に格納されることとなる。
【００５０】
図６（Ａ）は、画像サーバ装置であるパーソナルコンピュータ１の記憶装置、具体的にはハードディスク装置１９内に構築されるデータフォルダを列挙するもので、複数の動画の画像ファイルＭＰを纏めた画像フォルダＭＦ１、複数の動画の画像ファイルＭＰに対応して複数の属性情報ＡＤを纏めた属性情報フォルダＡＦ１、上記全体属性情報ＡＡ、及び全ユーザの視聴を終えた画像ファイルＭＰ及びそれに対応した属性情報ＡＤを纏めた削除待機フォルダＤＦを有する。
【００５１】
また、図６（Ｂ）は、パーソナルコンピュータ１から画像データの配信を受けてこれを視聴する各携帯端末２Ａ〜２Ｄ側の記憶装置、例えばＰＤＡ２Ｃであればメモリカードで構成される画像記憶部３３内に構築されるデータフォルダを列挙するもので、送られてきた画像ファイルＭＰを格納する画像フォルダＭＦ２、及び複数の動画の画像ファイルＭＰに対応して複数の属性情報ＡＤを纏めた属性情報フォルダＡＦ２を有する。
【００５２】
図６（Ｃ）は、上記図６（Ａ）で示した画像フォルダＭＦ１の構成を例示するもので、それぞれ先頭にタイトルＩＤを付した複数の画像ファイルＭＰから画像フォルダＭＦ１が構成される。
【００５３】
図７は、上記図６（Ａ）で示したパーソナルコンピュータ１側の属性情報フォルダＡＦ１の詳細を例示するものであり、ハードディスク装置１９に記憶される画像ファイルの数分だけ、上記図５（Ａ）で示した属性情報フォルダＡＦがそれぞれ「タイトルＩＤ」が付加されて纏めた状態で格納される。
【００５４】
図８は、上記図６（Ｂ）で示した携帯端末２Ａ〜２Ｄ側の属性情報フォルダＡＦ２の詳細を示すものであり、そのユーザが再生を指示した画像ファイルの数分だけ、上記図７で示した属性情報フォルダＡＦ１から「ユーザＩＤ」が省略されて纏めた状態で格納される。
【００５５】
次いで上記実施の形態の動作について説明する。  
まず画像サーバ装置となるパーソナルコンピュータ１で動画の画像ファイルを再生する際の動作について説明する。
【００５６】
図９は、このときのパーソナルコンピュータ１側での処理内容を示すものであり、その当初には表示部２１でユーザ名を一覧表示し、そのいずれかが選択操作された場合にこれを認識するユーザの判別処理を行ないながら（ステップＡ０１）、動画の再生が指示されたか否かを判断する（ステップＡ０２）、という処理を繰返し実行することで、いずれかのユーザにより再生が指示されるのを待機する。
【００５７】
しかしてユーザにより再生が指示されるとステップＡ０２でこれを判断し、次に属性情報記憶部１５に記憶している全体属性情報ＡＡにより当該ユーザに対応する「最終再生タイトルＩＤ」を参照して当該「タイトルＩＤ」及び当該「ユーザＩＤ」に対応する一連の属性情報を読出して取得し（ステップＡ０３）、その属性情報中の「再生終了位置」に基づいてハードディスク装置１９の該当する画像ファイル中の該当する再生開始位置に移動する（ステップＡ０４）。
【００５８】
以後当該位置から必要によりデータの圧縮を解いて再生する再生処理を実行しながら（ステップＡ０５）、合わせてキー入力部１２で再生を停止する操作がなされたか否か（ステップＡ０６）、再生位置が動画の最終位置となって再生を完了したか否か（ステップＡ０７）を繰返し判断することで、これらの状態となるのを待機する。
【００５９】
ここで、再生の停止を指示する操作がキー入力部１２でなされた場合、ステップＡ０８でこれを判断し、直ちに再生動作を停止すると共に、前回再生を終了した位置に比して今回終了した位置が動画画像の時間軸上でより後ろ側であるか否かによって、前回より再生、配信した位置をより進めたか否かを判断する（ステップＡ０８）。
【００６０】
ここで、今回終了した位置がより後ろ側であり、前回より再生、配信した位置をより進めたと判断した場合にのみ、属性情報フォルダＡＦ１中に記憶している当該「タイトルＩＤ」及び当該「ユーザＩＤ」に対応した「再生終了位置」及び「最終視聴日時」の内容を更新設定した後（ステップＡ０９）、全体属性情報ＡＡ中の当該「ユーザＩＤ」に対応した「タイトルＩＤ」の内容を更新設定し（ステップＡ１０）、その後、上記ステップＡ０９，Ａ１０の処理実行の有無に拘わらず、再び上記ステップＡ０１からの処理に戻る。
【００６１】
また、動画の画像ファイルの再生中、最終位置まで再生を行なった場合、ステップＡ０７でこれを判断し、まず全体属性情報ＡＡの内容を更新設定する（ステップＡ１１）。
【００６２】
この場合、全体属性情報ＡＡとしては、例えばあえて当該「ユーザＩＤ」に対応した「タイトルＩＤ」の内容を  
（１）変えずにそのままにしておく  
（２）消去する  
（３）他のタイトルＩＤで最後に視聴したものを検索して書換える  
という３つの方法が考えられるので、それらのうちのいずれか１つによる処理を実行する。
【００６３】
その後、属性情報フォルダＡＦ１中に記憶している当該「タイトルＩＤ」及び当該「ユーザＩＤ」に対応した「再生終了位置」の内容を更新設定し（ステップＡ１２）、併せて「状態」の内容を「視聴完了」の状態に設定する（ステップＡ１３）。
【００６４】
次いで、この設定処理により当該「タイトルＩＤ」の他の「ユーザＩＤ」の各「状態」の内容をすべてサーチして、いずれも「視聴完了」となっているか否か、換言すれば今回のこの動画の画像データの再生完了により同一タイトルではすべてのユーザＡ〜Ｄでの再生を終えたか否かを判断する（ステップＡ１４）。
【００６５】
ここで、他の「ユーザＩＤ」の各「状態」の内容もすべて「視聴完了」となっており、すべてのユーザＡ〜Ｄでの再生を終えたと判断した場合にのみ、ハードディスク装置１９中で記憶している当該タイトルの動画の画像データを上記図６（Ａ）で示した画像フォルダＭＦ１から削除待機フォルダＤＦへ移動させる処理を実行した後（ステップＡ１５）、
このステップＡ１５の処理実行の有無に拘わらず、再び上記ステップＡ０１からの処理に戻る。
【００６６】
このように、複数のユーザがシーケンシャルなコンテンツデータを共有して利用可能なサーバ装置であるパーソナルコンピュータ１において、各ユーザ毎に所望するコンテンツデータを適切な続き再生位置部分から再生することが可能となる。
【００６７】
また、上記動作では、ユーザを選択することで全体属性情報ＡＡから対応する「最終再生タイトルＩＤ」を読出すことで、ユーザによるタイトルの選択操作を省略するものとし、より簡易に動画の画像データを前回再生した続き位置から再生することができる。
【００６８】
次に、ＰＤＡ２Ｃですでに記憶されている画像データを再生する場合の動作について説明する。
【００６９】
図１０は、このとき主として制御部３１による処理内容を示すものであり、その当初にはユーザＣがキー入力部３２での所定の操作により画像の再生を指示すると、画像記憶部３３に格納されている動画の画像ファイルの全タイトルを上記図１８で示した属性情報フォルダＡＦ２から読出す（ステップＢ０１）。
【００７０】
この読出した内容に基づき、表示部３９において当該動画のタイトルの一覧とそれらのうちの１つの指定を促す文字ガイドメッセージを、例えば  
「再生したい動画を指定して下さい」  
のように表示した上で（ステップＢ０２）、一覧表示したタイトルの１つが指定操作されるのを受付ける再生動画指定処理を実行し（ステップＢ０３）、実際に動画指定があったか否かを判断する（ステップＢ０２）、という処理を繰返すことで動画が指定されるのを待機する。
【００７１】
動画の指定があった場合、上記ステップＢ０４でこれを判断し、上記図６（Ｂ）で示した画像記憶部３３内の画像フォルダＭＦ２から対応する「タイトルＩＤ」を有する画像ファイルを読出す（ステップＢ０５）。
【００７２】
次に同画像記憶部３３の属性情報フォルダＡＦ２により該当するタイトルＩＤに付加された一連の属性情報を読出して取得し（ステップＢ０６）、「再生終了位置」に対応して読出した画像ファイル中の該当する再生開始位置に移動する（ステップＢ０７）。
【００７３】
以後当該位置からデータの圧縮を解いて再生し、表示部３９で画像を表示する一方でスピーカ４１より音声出力させながら（ステップＢ０８）、併せてキー入力部３２で再生を停止する操作がなされたかどうか（ステップＢ０９）、再生位置が動画の最終位置となって再生を完了したか否か（ステップＢ１０）を繰返し判断することで、これらの状態となるのを待機する。
【００７４】
ここで、再生の停止を指示する操作がなされた場合、ステップＢ０９でこれを判断し、直ちに再生動作を停止すると共に、前回再生を終了した位置に比して今回終了した位置が動画画像の時間軸上でより後ろ側であるか否かによって、前回より再生、配信した位置をより進めたか否かを判断する（ステップＢ１１）。
【００７５】
ここで、今回終了した位置がより後ろ側であり、前回より再生、配信した位置をより進めたと判断した場合にのみ、属性情報フォルダＡＦ２中に記憶している当該「タイトルＩＤ」に対応した「再生終了位置」の内容を更新設定した（ステップＢ１２）、その後、このステップＢ１２の処理実行の有無に拘わらず、以上でこの図１０による端末側での再生処理をキー操作通り終了する。
【００７６】
また、動画の画像ファイルの再生中、最終位置まで再生を行なった場合には、ステップＢ１０でこれを判断し、属性情報フォルダＡＦ２中に記憶している当該「タイトルＩＤ」に対応した「再生終了位置」の内容を更新設定し（ステップＢ１３）、合わせて「状態」の内容を「視聴完了」の状態に設定し（ステップＢ１４）、以上でこの図１０による端末側での再生処理を終了する。
【００７７】
このように、端末であるＰＤＡ２Ｃであっても、サーバ装置であるパーソナルコンピュータ１と同様に、所望するコンテンツデータを常に適切な続き再生位置部分から再生することが可能となる。
【００７８】
次いでサーバ装置であるパーソナルコンピュータ１から端末であるＰＤＡ２Ｃに対して、コンテンツデータを転送記憶させるチェックアウト時の処理内容について説明する。
【００７９】
図１１は、ＰＤＡ２Ｃを所持するユーザＣが、パーソナルコンピュータ１を操作して実行するものであり、その当初には例えば表示部２１上にユーザＡ〜Ｄの各ユーザ名を表示させて自分のユーザ名を選択操作することで操作者の判別処理を実行する（ステップＣ０１）。
【００８０】
続けて、属性情報フォルダＡＦ１に記憶される全「タイトルＩＤ」により画像フォルダＭＦ１に記憶している全画像ファイルを表示させてそのいずれか１つ選択指定すると（ステップＣ０２）、端末側のＰＤＡ２Ｃから属性情報フォルダＡＦ２の内容を読込むことで（ステップＣ０３）、ＰＤＡ２Ｃ側に上記ステップＣ０２で選択した画像ファイルと同一のタイトルのものがあるか否かを判断する（ステップＣ０４）。
【００８１】
ここで、同一のタイトルの画像ファイルがすでにＰＤＡ２Ｃ側にあると判断した場合には、次いでサーバであるパーソナルコンピュータ１側の属性情報フォルダＡＦ１に記憶している当該「タイトルＩＤ」及び当該「ユーザＩＤ」に対応した「再生終了位置」が、端末であるＰＤＡ２Ｃ側の属性情報フォルダＡＦ２に記憶している当該「タイトルＩＤ」に対応した「再生終了位置」に比して動画画像の時間軸上でより後ろ側であるか否かを判断する（ステップＣ０９）。
【００８２】
ここで、サーバ側の最終終了位置の方が端末側の最終終了位置に比してより後ろ側であると判断した場合、すなわちユーザＣがＰＤＡ２Ｃではなくパーソナルコンピュータ１側で当該画像データのより後ろ側までの再生を行なった場合にのみ、属性情報フォルダＡＦ１中に記憶している当該「タイトルＩＤ」及び当該「ユーザＩＤ」に対応した「再生終了位置」の内容をＰＤＡ２Ｃ側に転送して属性情報フォルダＡＦ２中の同内容を更新設定した後（ステップＣ１０）、このステップＣ１０の処理実行の有無に拘わらず、以上でこの図１１のチェックアウト処理を終了する。
【００８３】
また、上記ステップＣ０４で選択指定したタイトルの画像ファイルと同一のものはまだＰＤＡ２Ｃ側にはないと判断した場合には、次いで画像フォルダＭＦ１に記憶されたその画像ファイルのファイル形式とＰＤＡ２Ｃで再生可能な動画の画像データのファイル形式とを比較することで、ファイル形式の変換を行なう必要があるか否かを判断する（ステップＣ０５）。
【００８４】
ここで、ファイル形式の変換が必要であると判断した場合にのみ、画像変換部１８でその変換処理を実行し（ステップＣ０６）、その後に動画の画像ファイルをサーバであるパーソナルコンピュータ１から端末であるＰＤＡ２Ｃに転送させる（ステップＣ０７）。
【００８５】
このとき合わせて、属性情報フォルダＡＦ１に記憶している当該「タイトルＩＤ」及び当該「ユーザＩＤ」に対応した「再生終了位置」「最終視聴日時」及び「状態」の内容をＰＤＡ２Ｃの属性情報フォルダＡＦ２にコピーし（ステップＣ０７）、以上でこの図１１のチェックアウト処理を終了する。
【００８６】
このように、選択した動画の画像データファイルをサーバ側のパーソナルコンピュータ１から端末側のＰＤＡ２Ｃに転送するにあたって、必要により属性情報も併せて転送設定するようにしたため、ユーザＣは確実にその画像データを最後に視聴した位置から再生して視聴することができる。
【００８７】
次にサーバ装置であるパーソナルコンピュータ１に対し、端末であるＰＤＡ２Ｃからコンテンツデータを転送記憶させるチェックイン時の処理内容について説明する。
【００８８】
このチェックイン処理は、例えばＰＤＡ２Ｃに予め付属された画像ファイルの吸上げソフトをパーソナルコンピュータ１にインストールしておくことにより、ＰＤＡ２Ｃが電源を投入して且つブルートゥース機能による無線接続可能な範囲内にあって、パーソナルコンピュータ１と通信可能な環境下にあり、且つまだパーソナルコンピュータ１に吸い上げていない新規の画像ファイルがＰＤＡ２Ｃに記憶されている場合に自動的に実行を開始する。
【００８９】
図１２は、ＰＤＡ２Ｃを所持するユーザＣが、パーソナルコンピュータ１を操作して実行するものであり、その当初には例えば表示部２１上にユーザＡ〜Ｄの各ユーザ名を表示させて自分のユーザ名を選択操作することで操作者の判別処理を実行する（ステップＤ０１）。
【００９０】
続けて、ＰＤＡ２Ｃ側の属性情報フォルダＡＦ２の全「タイトルＩＤ」により表示部２１ですべての動画の画像データを表示部２１に表示させた上でそのいずれかがユーザＣにより選択されると（ステップＤ０２）、選択した「タイトルＩＤ」に該当する属性情報を属性情報フォルダＡＦ２から読出して取得し（ステップＤ０３）、パーソナルコンピュータ１側の属性情報フォルダＡＦ１にも同一の「タイトルＩＤ」があるか否かを判断する（ステップＤ０４）。
【００９１】
ここで、同一の「タイトルＩＤ」がサーバ装置であるパーソナルコンピュータ１側の属性情報フォルダＡＦ１にもあると判断した場合には、すでにその画像データは画像フォルダＭＦに記憶されていることになるため、属性情報の更新が必要であるか否かを確認するべく、サーバであるパーソナルコンピュータ１側の属性情報フォルダＡＦ１に記憶している当該「タイトルＩＤ」及び当該「ユーザＩＤ」に対応した「再生終了位置」が、端末であるＰＤＡ２Ｃ側の属性情報フォルダＡＦ２に記憶している当該「タイトルＩＤ」に対応した「再生終了位置」に比して動画画像の時間軸上でより前側であるか否かを判断する（ステップＤ０８）。
【００９２】
ここで、サーバ側の最終終了位置の方が端末側の最終終了位置に比してより前側であると判断した場合、すなわちユーザＣがパーソナルコンピュータ１ではなくＰＤＡ２Ｃ側で当該画像データのより後ろ側までの再生を行なったと判断した場合にのみ、属性情報フォルダＡＦ１中に記憶している当該「タイトルＩＤ」及び当該「ユーザＩＤ」に対応した「再生終了位置」の内容を、ＰＤＡ２Ｃ側の属性情報フォルダＡＦ２中の同内容を用いて更新設定する（ステップＤ０９）。
【００９３】
その後、このステップＤ０９の処理実行の有無に拘わらず、まだ同タイトルがあるかどうかの判断を終えていない画像データがＰＤＡ２Ｃ側にあるか否かにより、ＰＤＡ２Ｃの画像フォルダＭＦ２に記憶している全画像に対するチェック員処理を終えたか否かを判断するもので（ステップＤ０７）、終えていない場合には再び上記ステップＤ０２に戻り、まだチェックイン処理を終えていない画像データを対象として同様の処理を実行する。
【００９４】
また、上記ステップＤ０４で、ユーザが選択した「タイトルＩＤ」と同一の「タイトルＩＤ」がパーソナルコンピュータ１の属性情報フォルダＡＦ１にはなく、その画像データはまだパーソナルコンピュータ１側の画像フォルダＭＦには記憶されていないと判断した場合には、その動画の画像ファイルを端末であるＰＤＡ２Ｃからサーバであるパーソナルコンピュータ１に転送させる（ステップＤ０５）。
【００９５】
このとき合わせて、属性情報フォルダＡＦ１にあらたにその「タイトルＩＤ」及び当該「ユーザＩＤ」に対応した「再生終了位置」「最終視聴日時」及び「状態」の内容を作成して初期値を設定する（ステップＤ０６）。
【００９６】
この場合、初期化処理としては、ＰＤＡ２Ｃから当該「ユーザＩＤ」に対応する「再生終了位置」、「最終視聴日時」、及び「状態」をコピーする一方で、他のすべての「ユーザＩＤ」に対応する「再生終了位置」は「先頭」に、同「最終視聴日時」は「空白」に、同「状態」は「未視聴」にそれぞれ設定する。
【００９７】
上記ステップＤ０６での初期化処理後、上記ステップＤ０７に進んでまだチェックイン処理すべき画像データがあるか否かを確認する。
【００９８】
しかして、すべての画像データに関する選択とチェックイン処理を終了した地点でステップＤ０７でこれを判断し、以上でこの図１２のチェックイン処理を終了する。
【００９９】
上記図１１及び図１２のチェックアウト処理及びチェックイン処理で示した如く、サーバ装置及び端末装置のいずれにあっても、装置を単独で使用する場合のみならず、複数の装置間で動画の画像データを転送する場合も属性情報を共有することで、各ユーザはそれぞれ正確な続き位置から動画の画像データを再生させることができる。
【０１００】
次に、図１３により画像サーバ装置であるパーソナルコンピュータ１での各画像データのタイトル毎の状態確認処理について説明する。
【０１０１】
図１３では、まず動画の画像データファイルを選択し（ステップＥ０１）、次いでユーザ名をそれぞれ選択することで（ステップＥ０２）、対応する属性情報を属性情報フォルダＡＦ１から読出す（ステップＥ０３）。
【０１０２】
その後、全ユーザ分の選択が終了していないことを確認し（ステップＥ０４）、再び上記ステップＥ０２に戻って他のユーザ名を選択するようになる。
【０１０３】
しかして、全データ分の選択とそれに対応する属性情報の取得を終えると、ステップＥ０４でこれを判断し、次いで全動画の画像ファイルの選択を終えたか否かを判断する（ステップＥ０５）。
【０１０４】
ここでまだすべての動画の画像ファイルの選択を終えていないことを確認すると、再び上記ステップＥ０１に戻って、他の動画の画像ファイルの選択に移行する。
【０１０５】
こうしてすべての動画の画像ファイル毎に全ユーザを選択してそれぞれ属性情報を取得した後、上記ステップＥ０５でこれを判断すると、以上ですべての動画の画像データ毎に全ユーザの属性情報を取得したこととなるので、取得した属性情報を表示部２１により一覧表示し（ステップＥ０６）、これでこの図１３の処理を終了する。
【０１０６】
このような表示を行なうことで、ユーザＡ〜Ｄはいずれも、パーソナルコンピュータ１に登録されている全ユーザの動画の画像ファイルの閲覧状況を確認することができる。
【０１０７】
次いで図１４によりパーソナルコンピュータ１のハードディスク装置１９の削除待機フォルダＤＦに移動させた動画の画像ファイルを削除する際の動作について説明する。
【０１０８】
その当初には、削除待機フォルダＤＦに記憶している動画の画像ファイルの各「タイトルＩＤ」をすべて読出し（ステップＦ０１）、読出した内容に基づいて表示部２１で当該動画のタイトルの一覧とそれらのうちの１つの指定を促す文字ガイドメッセージを、例えば  
「削除したい動画を指定して下さい」  
のように表示した上で（ステップＦ０２）、一覧表示したタイトルの１つが指定操作されるのを受付ける削除動画指定処理を実行し（ステップＦ０３）、実際に動画指定があったか否かを判断する（ステップＦ０２）、という処理を繰返すことで動画が指定されるのを待機する。
【０１０９】
動画の指定があった時点で上記ステップＦ０４によりこれを判断し、指定された動画の画像ファイルを削除待機フォルダＤＦから削除し（ステップＦ０５）、その後に表示部２１で削除処理を終了するか、まだ続行するかの選択を促す文字ガイドメッセージを例えば、  
「削除処理を終了しますか？」  
のように表示すると共に、「終了」と「続行」の各選択肢に応じた操作キーを提示し（ステップＦ０７）、そのいずれかが操作されることにより、終了の指示があったか否かを判断する（ステップＦ０７）。
【０１１０】
ここで、「終了」ではなく「続行」が選択操作された場合には、ユーザがまだ他にも削除したい動画の画像ファイルが削除待機フォルダＤＦにあることとなるので、再び上記ステップＦ０２からの処理に戻る。
【０１１１】
しかして、必要に応じて動画の画像ファイルを削除待機フォルダＤＦから削除する処理を実行した後、削除処理を終了する選択操作がなされた時点でステップＦ０７によりこれを判断し、以上でこの図１４の処理を終了する。
【０１１２】
このように、すべてのユーザの再生を終えた動画の画像ファイルを画像フォルダＭＦから削除待機フォルダＤＦに移動させることで、ユーザからの見かけ上の画像ファイルの数は減少し、一度視聴した動画の画像ファイルを誤って再度選択してしまうような事態を未然に回避することができるので、ユーザにとっての使い勝手を向上させることができる。
【０１１３】
なお、上記図１４では削除待機フォルダＤＦに記憶されている、すべてのユーザの視聴を終えた動画の画像ファイルをユーザが選択することで削除するものとしたが、これにより画像フォルダＭＦ及び削除待機フォルダＤＦを構築しているハードディスク装置１９の記憶容量に制限があった場合でもこれをより有効に活用することができる一方で、削除待機フォルダＤＦに記憶した動画の画像ファイルを再び画像フォルダＭＦに移動させる、「削除解除」操作を可能とすることで、ユーザが再度の視聴を望むものにあっては容易にこれを復帰させることができるものとしてもよい。
【０１１４】
なお、上記実施の形態では、ユーザが動画の画像データファイルを選択指定することでこれを視聴するものとして説明したが、本発明はこれに限ることなく、他のシーケンシャルなデータとして、複数の静止画が所定の時間間隔では切り替わるスライド画像データや書籍データ等であっても同様に実現可能である。
【０１１５】
また、上記実施の形態では、パーソナルコンピュータ１でユーザの選択及び再生の指示を行なうことにより再生を実行するものとして説明したが、これをユーザＡ〜Ｄがそれぞれ所持する携帯端末２Ａ〜２Ｄ自体あるいはそのリモートコントローラの操作により行なうものとしてもよいし、さらには携帯端末２Ａ〜２Ｄに無線タグ等を貼付あるいは内蔵しておくことで、ユーザの認証に係る処理を省略するものとしてもよい。
【０１１６】
その他、本発明は上記実施の形態に限らず、その要旨を逸脱しない範囲内で種々変形して実施することが可能であるものとする。
【０１１７】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１１８】
【図１】本発明の実施の一形態に係る家庭内画像共有システム全体の構成を示す図。
【図２】同実施の形態に係るパーソナルコンピュータの機能回路構成を示すブロック図。
【図３】同実施の形態に係るＰＤＡの機能回路構成を示すブロック図。
【図４】同実施の形態に係る携帯端末からパーソナルコンピュータへのコマンドデータフォーマットを例示する図。
【図５】同実施の形態に係る属性情報とこれに対応する動画の画像ファイル、及び全体属性情報の各構成を示す図。
【図６】同実施の形態に係るサーバ側と端末側双方のフォルダ構成を例示する図。
【図７】同実施の形態に係るサーバ側の属性情報フォルダの記憶内容を例示する図。
【図８】同実施の形態に係る端末側の属性情報フォルダの記憶内容を例示する図。
【図９】同実施の形態に係るサーバ側での動画再生時の処理内容を示すフローチャート。
【図１０】同実施の形態に係る端末側での動画再生時の処理内容を示すフローチャート。
【図１１】同実施の形態に係るサーバ側から端末側へ動画ファイルを転送するチェックアウト時の処理内容を示すフローチャート。
【図１２】同実施の形態に係る端末側からサーバ側へ動画ファイルを転送するチェックイン時の処理内容を示すフローチャート。
【図１３】同実施の形態に係る各動画タイトルの状態確認の処理内容を示すフローチャート。
【図１４】同実施の形態に係る動画削除時の処理内容を示すフローチャート。
【符号の説明】
【０１１９】
１…パーソナルコンピュータ（ＰＣ）、２Ａ〜２Ｄ…携帯端末、１１…制御部、１２…キー入力部、１３…ＬＡＮインタフェース（Ｉ／Ｆ）、１４…ＤＶＤマルチドライブ、１５…属性情報記憶部、１６…無線通信部、１７…表示制御部、１８…画像変換部、１９…ハードディスク装置（ＨＤＤ）、２０…アンテナ、２１…表示部、３１…制御部、３２…キー入力部、３３…画像記憶部、３４…無線通信部、３５…表示制御部、３６…タブレット制御部、３７…音声処理部、３８…アンテナ、３９…表示部、４０…タブレット入力部、４１…スピーカ、ＡＡ…全体属性情報、ＡＤ…属性情報、ＡＦ…属性情報フォルダ、ＭＦ…画像フォルダ、ＭＰ…画像ファイル、ＤＦ…削除待機フォルダ。
【図１】
2006185468.tif 000003
【図２】
2006185468.tif 000004
【図３】
2006185468.tif 000005
【図４】
2006185468.tif 000006
【図５】
2006185468.tif 000007
【図６】
2006185468.tif 000008
【図７】
2006185468.tif 000009
【図８】
2006185468.tif 000010
【図９】
2006185468.tif 000011
【図１０】
2006185468.tif 000012
【図１１】
2006185468.tif 000013
【図１２】
2006185468.tif 000014
【図１３】
2006185468.tif 000015
【図１４】
2006185468.tif 000016